(57)【要約】【課題】映像の出力先に応じた好適な視聴画面を出力することができる電子機器を提供する。【解決手段】受信装置１００は、受信部１０１及び通信部１０２が動画データを含む映像コンテンツデータを入力し、表示処理部１１０は、表示装置２００及び表示装置３００に映像出力可能な場合、映像コンテンツデータに含まれる動画データの動画を表示装置２００と３００とのうち何れか一方の表示装置に出力し、他方の表示装置に映像コンテンツデータに対する操作入力を受け付けるための操作用画像を含む画面を出力する。また受信装置１００は、表示装置２００と表示装置３００とのうち一方のみに映像出力可能な場合、動画と操作用画像とを含む画面を該映像出力可能な表示装置に出力する。【選択図】  図２
2011166691.tif 000002
【特許請求の範囲】
【請求項１】
動画データを含む映像コンテンツデータを入力する入力手段と、
第１の表示装置及び第２の表示装置に映像出力可能な場合、前記映像コンテンツデータに含まれる前記動画データの動画を前記第１の表示装置に出力し、前記映像コンテンツデータに対する操作入力を受け付けるための操作用画像を含む第１の画面を前記第２の表示装置に出力し、前記第１の表示装置及び前記第２の表示装置の一方のみに映像出力可能な場合、前記動画及び前記操作用画像を含む第２の画面を該映像出力可能な表示装置に出力する映像出力手段と
を備えることを特徴とする電子機器。
【請求項２】
前記入力手段は、データ放送用データを含む前記映像コンテンツデータを入力し、
前記映像出力手段は、前記第１の表示装置及び前記第２の表示装置に映像出力可能な場合、前記第１の表示装置に前記動画を出力し、前記第２の表示装置に前記データ放送用データに基づく画像を含む前記第１の画面を出力する
ことを特徴とする請求項１記載の電子機器。
【請求項３】
前記映像出力手段は、前記第１の表示装置及び前記第２の表示装置に映像出力可能な場合、前記第１の表示装置に前記動画を出力すると共に、前記第２の表示装置に、前記第２の画面とは異なる前記第１の画面を出力する
ことを特徴とする請求項１記載の電子機器。
【請求項４】
前記映像出力手段は、前記第１の表示装置及び前記第２の表示装置に映像出力可能な場合、前記第２の表示装置に当該第２の表示装置の画面サイズに応じた表示形態の前記第１の画面を出力する
ことを特徴とする請求項１記載の電子機器。
【請求項５】
前記映像出力手段は、前記第１の表示装置及び前記第２の表示装置に映像出力可能な場合、前記第２の表示装置に当該第２の表示装置の解像度に応じた解像度の前記操作用画像を含む前記第１の画面を出力する
ことを特徴とする請求項１記載の電子機器。
【請求項６】
前記映像出力手段は、前記第１の表示装置及び前記第２の表示装置に映像出力可能な場合、前記第１の表示装置に当該第１の表示装置の解像度に応じた解像度の前記動画を出力する
ことを特徴とする請求項１記載の電子機器。
【請求項７】
前記映像出力手段は、第１の表示装置及び第２の表示装置に映像出力可能な場合、前記第２の表示装置よりも画面サイズの大きな前記第１の表示装置に前記動画を出力する
ことを特徴とする請求項１記載の電子機器。
【請求項８】
前記映像出力手段は、第１の表示装置及び第２の表示装置に映像出力可能な場合、前記第１の表示装置に前記動画を出力し、前記第２の表示装置に前記動画と前記操作用画像とを含む画面を出力する
ことを特徴とする請求項１記載の電子機器。
【請求項９】
前記入力手段は、データ放送用データを含む前記映像コンテンツデータを入力し、
前記映像出力手段は、第１の表示装置及び第２の表示装置に映像出力可能な場合、前記第１の表示装置に前記データ放送用データに基づく画像と前記動画とを含む画面を出力する
ことを特徴とする請求項１記載の電子機器。
【請求項１０】
前記映像出力手段は、前記第１の表示装置及び前記第２の表示装置の一方のみに映像出力可能な場合、前記動画と前記第２の画面とを切り替えて出力することが可能である
ことを特徴とする請求項１記載の電子機器。
【請求項１１】
前記第１の表示装置を登録する登録手段を更に備え、
前記映像出力手段は、前記登録手段に登録された前記第１の表示装置に前記動画を出力する
ことを特徴とする請求項１記載の電子機器。
【発明の詳細な説明】
【技術分野】
【０００１】
本発明は電子機器に関する。
【背景技術】
【０００２】
データ放送用データが重畳された映像コンテンツデータを受信し、当該映像コンテンツデータの視聴映像とともに、当該視聴映像に対する操作を受け付けるための操作パネル画像やデータ放送用データに基づいた画像等を画面に表示する技術がある。ここで、表示される視聴映像の内容をユーザが確認する際には、視聴映像を遮ることなく広い範囲に表示できることが望ましい。しかし、視聴映像とその他の画像とを同一の画面に表示すると、視聴映像がその他の画像により遮られる場合や、視聴映像の表示領域が狭くなる場合がある。
【０００３】
一方、マルチディスプレイ機能を利用することで、利用者にとって見やすく操作効率を向上させる技術がある（例えば特許文献１）。特許文献１には、デジタルカメラに記録された画像データを編集用コンピュータが格納し、格納された複数の画像データをタッチパネルがサムネイル形式で一覧表示し、画面に表示されている選択対象である複数のサムネイル画像がタッチされると、大型ディスプレイがタッチパネルからの選択信号に応じた画像を拡大表示することにより、表示内容を大きく表示することができるマルチディスプレイ装置が開示されている。
【先行技術文献】
【特許文献】
【０００４】
【特許文献１】特開２００２−１５２６６８
【発明の概要】
【発明が解決しようとする課題】
【０００５】
ところで、複数の表示装置に対して映像を出力可能な電子機器において、上述の視聴映像や操作パネル画像等を出力する際には、出力可能な表示装置の数に応じた好適な表示形態で視聴映像及び操作パネル画像等を出力できることが好ましい。しかしながら特許文献１記載の技術は、表示装置の数に応じて異なる表示形態で映像を出力することができないため、映像の出力先に応じた好適な視聴画面を出力することはできない。
【０００６】
そこで本発明は、映像の出力先に応じた好適な視聴画面を出力することができる電子機器の提供を目的とする。
【課題を解決するための手段】
【０００７】
上記の課題を解決するために、本願請求項１に記載の電子機器は、動画データを含む映像コンテンツデータを入力する入力手段と、第１の表示装置及び第２の表示装置に映像出力可能な場合、前記映像コンテンツデータに含まれる前記動画データの動画を前記第１の表示装置に出力し、前記映像コンテンツデータに対する操作入力を受け付けるための操作用画像を含む第１の画面を前記第２の表示装置に出力し、前記第１の表示装置又は前記第２の表示装置のうち一方のみに映像出力可能な場合、前記動画及び前記操作用画像を含む第２の画面を該表示装置に出力する映像出力手段とを備えることを特徴とする。
【発明の効果】
【０００８】
本願請求項１記載の発明に拠れば、映像の出力先に応じた好適な視聴画面を出力することができる。
【図面の簡単な説明】
【０００９】
【図１】本発明の第１実施形態に係る電子機器の利用形態を示す図。
【図２】本発明の第１実施形態に係る電子機器のシステム構成を示す図。
【図３】本発明の第１実施形態に係る電子機器が単一の表示装置に対して出力する画面を示す図。
【図４】本発明の第１実施形態に係る電子機器が２の表示装置に対して出力する画面を示す図。
【図５】本発明の第１実施形態に係る電子機器が出力する設定画面を示す図。
【図６】本発明の第１実施形態に係る電子機器の処理手順を示す図。
【図７】本発明の第１実施形態に係る電子機器が２の表示装置に対して出力する画面を示す図。
【図８】本発明の第１実施形態に係る電子機器が２の表示装置に対して出力する画面を示す図。
【図９】本発明の第２実施形態に係る電子機器の利用形態を示す図。
【発明を実施するための形態】
【００１０】
（第１実施形態）
以下、図面を参照して本発明の第１実施形態を説明する。
図１は、本実施形態に係る電子機器の利用形態を示す図である。本実施形態に係る電子機器は、例えば受信装置１００として実現されている。この受信装置１００は、デジタル放送コンテンツやＩＰＴＶコンテンツ等の、映像データとデータ放送用データとが含まれる映像コンテンツデータを受信し、当該映像コンテンツデータに基づく画面を表示装置２００や表示装置３００に出力することができる。
【００１１】
ここで映像コンテンツデータに基づく画面とは、例えば映像データの動画像の画面や、データ放送用データに基づいた操作用画像の画面等である。なお操作用画像とは、映像コンテンツに対するユーザ操作入力を受け付けるための、ユーザ操作の対象となる画像をいうものとする。
【００１２】
そして受信装置１００は、当該受信装置１００に２の表示装置が接続されている場合、一方の表示装置に動画像を含むＡ１に示すような画面を出力し、他方の表示装置にＡ２に示すような操作用画像の画面を出力することができる。一方受信装置１００は、当該受信装置１００に１の表示装置が接続されている場合、映像データの動画像と操作用画像とを含む画面を出力することができるものである。詳細を、図２乃至図８を参照して以下説明する。
【００１３】
次に図２を参照して、受信装置１００のシステム構成を説明する。図２は受信装置１００のシステム構成例を示す図である。
受信装置１００は、受信部１０１、通信部１０２、分離部１０３、デコード部１０４、ＧＵＩ生成部１０５、表示装置検出部１０６、出力決定部１０７、操作入力処理部１０９、表示処理部１１０、映像出力端子１１１、映像出力端子１１２等を備えている。
【００１４】
受信部１０１は、ＴＶアンテナと接続されデジタル放送波を受信する。このとき受信部１０１は、動画データとデータ放送用データを含む映像コンテンツデータを受信することができ、受信した映像コンテンツデータを分離部１０３に出力する。
【００１５】
また通信部１０２は、通信装置１００の外部のネットワークと接続し、ＩＰＴＶサーバ等（非図示）から、動画データとデータ放送用データとを含む映像コンテンツデータを受信する。そして通信部１０２は、受信した映像コンテンツデータを分離部１０３に出力する。
【００１６】
なお、受信部１０１及び通信部１０２が受信する映像コンテンツデータに含まれる動画データは、表示装置に再生表示する動画像のデータである。また、データ放送用データは、例えばＢＭＬ等の言語により記述されており、該データ放送用データには、表示装置に出力する画面のＧＵＩデータ、即ち画面に配置する画像データや当該画像を配置する位置情報等が含まれている。
【００１７】
またデータ放送用データには、後述する動画像表示領域にて再生表示中の動画像の番組名や番組内容等についての情報や、当該動画像に関連するコンテンツやインターネットＵＲＬを示すリンクも含まれている。なお、データ放送用データに含まれるＧＵＩデータは、受信装置１００が単一の表示装置に画面を出力する場合の画面のＧＵＩに関するデータであり、受信装置１００は、複数の表示装置に画面を出力する場合、当該ＧＵＩデータに基づいたＧＵＩを生成する。
【００１８】
分離部１０３は、受信部１０１及び通信部１０２から入力された映像コンテンツデータを動画データとデータ放送用データとに分離する。そして分離部１０３は、分離したデータのうち、動画データをデコード部１０４に、データ放送用データをＧＵＩ生成部１０５に出力する。
【００１９】
デコード部１０４は、分離部１０３から入力された動画データをデコードする。そしてデコード部１０４は、デコードした動画データを表示処理部１１０に出力する。
【００２０】
ＧＵＩ生成部１０５は、分離部１０３から入力されたデータ放送用データに基づき、表示装置に出力する操作用画像の画面を生成する。ここでＧＵＩ生成部１０５は、出力決定部１０７から入力される出力先指示と画面サイズ及び解像度についての通知とに基づいた画面を生成する。
【００２１】
即ちＧＵＩ生成部１０５は、出力決定部１０７から、受信装置１００に接続されている表示装置が１である旨を示す出力先指示を受け取ると、データ放送用データに含まれるＧＵＩデータに基づいて動画像と操作用画像とを含む画面のＧＵＩを生成する。一方ＧＵＩ生成部１０５は、出力決定部１０７から、操作用画像の画面と動画像の画面とを各々異なる表示装置に出力する旨の出力先指示、及び操作用画像の画面を出力する表示装置の画面サイズや解像度についての通知を受け取ると、データ放送用データに含まれるＧＵＩデータに基づいて、操作用画像の画面を出力する表示装置の画面サイズや解像度に応じた画面のＧＵＩを生成する。そしてＧＵＩ生成部１０５は、生成した画面のＧＵＩを表示処理部１１０に出力する。
【００２２】
表示装置検出部１０６は、映像出力端子１１１及び映像出力端子１１２に対して表示装置が接続されているか否かを検出する。また表示装置検出部１０６は、映像出力端子１１１や１１２に表示装置が接続されている場合、該映像出力端子を介して、該映像出力端子に接続された表示装置の画面サイズ、解像度、製造メーカ及び製品名等の表示装置情報を取得する。そして表示装置検出部１０６は、映像出力端子１１１及び１１２に表示装置が接続されているか否か、またこれら映像出力端子に接続されている表示装置の表示装置情報を出力決定部１０７に出力する。
【００２３】
出力決定部１０７は、表示装置検出部１０６から入力された表示装置情報等に基づいて操作用画像の画面と動画像の画面との夫々の画面の出力先を決定し、決定した出力先を表示処理部１１０に指示する機能を有する。
【００２４】
また出力決定部１０７は、表示装置検出部１０６から入力された表示装置情報に基づいて、映像出力端子１１１と映像出力端子１１２との両方の映像出力端子に表示装置が接続されている場合、動画像の画面と操作用画像の画面とを異なる表示装置に出力するように表示処理部１１０に指示する。
【００２５】
また出力決定部１０７は、表示装置検出部１０６から入力された表示装置情報が、映像出力端子１１１と映像出力端子１１２との何れか一方にのみ表示装置が接続されている旨を示している場合、動画像と操作用画像と含む画面を当該接続されている表示装置に出力するように表示処理部１１０に指示する。
【００２６】
また出力決定部１０７は、表示装置検出部１０６から入力された表示装置情報に基づいて、受信装置１００に接続された表示装置の表示装置データベース１０８を生成／登録することができる。ここで表示装置データベース１０８とは、例えば受信装置１００に接続されたことのある表示装置の製品名に対して、当該表示装置の画面サイズ及び製造メーカ名等を対応付けたデータベースである。
【００２７】
そして当該データベースには、何れの表示装置をメイン表示装置として利用するかを登録することができる。なおメイン表示装置とは、映像出力端子１１１および１１２の両方の端子に表示装置が接続されている場合に動画像の画面の出力先とする表示装置をいうものとする。
【００２８】
そしてメイン表示装置の登録の際には、受信装置１００は後述する図５のような設定画面を出力し、該設定画面に対するユーザ操作入力に従ってメイン表示装置を設定／登録することができる。その際に出力決定部１０７は、操作入力処理部１０９から入力された、メイン処理装置を指定する操作入力信号に基づいてメイン処理装置を設定する。そして出力決定部１０７は、表示装置データベース１０８と、表示装置１０６から入力された表示装置情報に基づき、映像出力端子１１１および１１２の両方の端子に表示装置が接続され、一方の表示装置がメイン表示装置である場合に、該メイン表示装置が接続されている映像出力端子に動画像を出力するよう表示処理部１１０に指示することができる。なおメイン表示装置を設定するための設定画面については、図５を参照して後述する。
【００２９】
ここで出力決定部１０７は、映像出力端子１１１と１１２との両方の端子に表示装置が接続されている場合、表示装置検出部１０６から入力された表示装置情報に含まれる画面サイズ情報に基づいて、映像出力端子１１１及び１１２に接続された表示装置のうち、画面サイズの大きな表示装置に動画像を、画面サイズの小さな表示装置に操作用画像の画面を出力する旨を決定する。
【００３０】
そして出力決定部１０７は、決定した出力先を指示する出力先指示と夫々の表示装置の画面サイズや解像度を示す通知とを表示処理部１１０及びＧＵＩ生成部１０５に出力する。
【００３１】
操作入力処理部１０９はユーザ操作入力信号を処理する。ここで操作入力処理部１０９は、例えばポインティングデバイスやリモートコントローラ等から入力された、画面遷移を要求する操作入力信号や、受信装置１００の終了を要求する終了操作入力信号、後述するメイン表示装置選択の操作信号等を処理する。そして操作入力処理部１０９は、これら信号に基づいた通知を出力決定部１０７に出力する。
【００３２】
表示処理部１１０は、ＧＵＩ生成部１０５から入力された操作用画面のＧＵＩ及びデコード部１０４から入力された動画像データを映像信号に変換し、映像出力端子１１１や映像出力端子１１２に出力する。ここで表示処理部１１０は、映像信号に変換した操作用画像の画面と動画像の画面とを、出力決定部１０７から入力された解像度についての通知に基づいた解像度で、当該出力決定部１０７からの出力先指示に基づいた映像出力端子に出力する。
【００３３】
即ち表示処理部１１０は、出力決定部１０７から操作用画像と動画像とを夫々異なる映像出力端子に出力する旨の出力先指示がなされている場合、映像信号に変換した操作用画像と動画像とを、該出力先指示で示された夫々異なる映像出力端子に出力し、操作用画像と動画像とを同一の映像出力端子に出力する旨の出力先指示を受け取っている場合、変換した操作用画像と動画像とを同一の映像出力端子に出力する。
【００３４】
映像出力端子１１１及び映像出力端子１１２は、表示装置を接続して当該接続された表示装置に、表示処理部１１０から入力された映像信号を出力するための端子である。また映像出力端子１１１及び１１２は、これら端子に接続された表示装置から、該表示装置の表示装置情報を受け取ることができ、受け取った表示装置情報は表示装置検出部１０６により取得される。
【００３５】
続いて図３を参照して、受信装置１００に単一の表示装置が接続されている場合に当該受信装置１００が出力する画面について説明する。
図３（Ａ）は、受信装置１００の映像出力端子１１１又は１１２のうちいずれか一方の端子のみに表示装置が接続されている場合に該表示装置に対して出力する、動画像と操作用画像とを含む画面の一例である。
【００３６】
ここで図３（Ａ）に示す画面Ｂ１には、動画像表示領域Ｂ２、データ放送画像表示領域Ｂ３、コンテンツ内容表示領域Ｂ４、操作用画像表示領域Ｂ５、操作用画像表示領域Ｂ６が表示されている。動画像表示領域Ｂ２は、映像コンテンツデータに含まれる動画データの動画像を表示するための領域である。
【００３７】
データ放送画像表示領域Ｂ３は、映像コンテンツデータに含まれるデータ放送用データに基づいた画像を表示するための領域であり、例えば動画像表示領域Ｂ２に表示されている動画像に関連するコンテンツやインターネットサイトを示す画像、あるいは人気の高い番組等の情報を示す画像が表示される。
【００３８】
なお、データ放送画像表示領域Ｂ３に表示される画像は、当該画像に対する選択操作入力を受けることができる操作用画像も含んでいる。例えば受信装置１００が、Ｂ３に表示された、動画像に関連するコンテンツを示す画像に対する選択操作を受け付けた場合、動画像表示領域Ｂ２に当該選択操作を受けた画像に対応するコンテンツの詳細情報や当該コンテンツの動画像等が表示されてもよい。
【００３９】
コンテンツ内容表示領域Ｂ４は、動画像表示領域Ｂ２に表示されている動画像の内容を表示するための領域であり、例えば当該動画像の放送チャンネル、番組名、出演者及び番組内容説明文等が、データ放送用データに含まれる番組情報に基づいて表示される。
【００４０】
操作用画像表示領域Ｂ５は、映像コンテンツデータに対する操作入力を受け付けるための操作用画像を表示する領域であり、当該領域には、例えばＩＰＴＶサーバから映画コンテンツを取得するための操作入力や、ユーザが予め登録しているお気に入りコンテンツの一覧を表示するための操作入力等を受け付けるための操作用画像等が表示される。
【００４１】
操作用画像表示領域Ｂ６は、動画像表示領域Ｂ２に表示される動画像に対する操作入力を受け付けるための操作用画像を表示する領域であり、当該領域には、例えば動画像表示領域Ｂ２に表示される動画像を選択するためのチャンネル選択操作入力や、当該動画像に対する出力音量変更操作入力及び再生／停止操作入力等を受け付けるための操作用画像が表示されている。
【００４２】
ここで、画面Ｂ１に表示されるＢ２〜Ｂ３は、データ放送用データに含まれるＧＵＩデータに基づいた位置に配置されている。また、データ放送画像表示領域Ｂ３及びコンテンツ内容表示領域Ｂ４に表示される画像は、データ放送用データに含まれる画像データ等に基づく画像である。一方、操作用画像表示領域Ｂ５及びＢ６は、データ放送用データに含まれる画像データに基づく画像であっても良いが、受信装置１００が予め記憶している画像に基づいていても良い。
【００４３】
次に、図３（Ｂ）について説明する。図３（Ｂ）は、受信装置１００が画面Ｂ１を出力している際、動画像表示領域Ｂ２の領域を拡大した画面を表示する旨の画面遷移要求操作入力があった場合に当該受信装置１００が出力する画面の例である。ここで図３（Ｂ）には、画面Ｂ２において表示されていた動画像表示領域Ｂ２を拡大して表示装置の表示画面全体に表示した画面Ｂ７が表示されている。
【００４４】
なおここで出力する画面は、動画表示領域Ｂ２を表示画面全体に表示したものでなくともよく、少なくともＢ２よりも広い領域に表示できるものであれば良い。また受信装置１００は、画面Ｂ７を出力している際に、操作用画像と動画像とを配置した画面、即ち画面Ｂ２を表示する旨の画面遷移要求操作入力を受け付けると、受信装置１００は前述した画面Ｂ２を出力する。
【００４５】
続いて図４を参照して、受信装置１００が、動画像の画面と操作用画像の画面とを夫々異なる表示装置に出力する場合の出力画面について説明する。
図４（Ａ）は、受信装置１００の映像出力端子１１１及び１１２の両方の端子に表示装置が接続されており、動画像の画面と操作用画像の画面とを夫々異なる表示装置に出力する場合の、当該動画像の画面の例である。ここで図４（Ａ）に示す画面Ｃ１には、デコード部１０４でデコードされた動画データの動画像が表示される。図４においては、画面Ｃ１の前面に動画像が表示されるように示されているが、当該動画像は必ずしも画面Ｃ１の全画面に表示されるものでなくても、例えば画面Ｃ１の一部に、予め設定されたサイズで表示されても良い。
【００４６】
一方図４（Ｂ）は、受信装置１００が、動画像の画面と操作用画像の画面とを夫々異なる表示装置に出力する場合における、操作用画像の画面の例である。
図４（Ｂ）に示す画面Ｃ２には、データ放送画像表示領域Ｃ３、コンテンツ内容表示領域Ｃ４、操作用画像表示領域Ｃ５、操作用画像表示領域Ｃ６が隣接して配置されている。ここで、Ｃ３〜Ｃ６の画像は、図３にて前述したＢ３〜Ｂ６に対応している。即ちＣ３はＢ３に、Ｃ４はＢ４に、Ｃ５はＢ５に、Ｃ６はＢ６に対応する画像であるが、画面Ｃ２に表示されるＣ３〜Ｃ６は、画面Ｂ１に表示されるＢ３〜Ｃ６とは異なる表示形態で表示されている。なお画面Ｃ２に表示される夫々の画像は、ＧＵＩ生成部１０５が表示装置の画面解像度等に合わせた解像度で生成した画像である。
【００４７】
ここでデータ放送画像表示領域Ｃ３は、データ放送画像表示領域Ｂ３と異なる表示形態であるため、Ｂ３よりも多くの情報を表示することができる。なおＣ３〜Ｃ６の表示形態は、図４（Ｂ）に示す表示形態に限るものではないが、Ｃ３〜Ｃ６を夫々隣接させることにより、Ｃ３〜Ｃ６の夫々の領域を広くすることが好ましい。
【００４８】
また、データ放送画像表示領域Ｃ３やコンテンツ内容表示領域Ｃ４の領域のサイズを表示装置の画面サイズに応じて異なるものとしても良い。このようにＣ３やＣ４の領域のサイズを、表示装置の画面サイズに応じたサイズにすることにより、画面サイズが大きな表示装置に画面Ｃ２を表示する際にＣ３やＣ４に多くの情報を表示することが可能となる。このように動画像の画面と操作用画像の画面とを夫々異なる表示装置に出力することで、動画像を画面に広く表示しつつ操作用画像を表示することが可能となる。
【００４９】
次に図５を参照して、受信装置１００が出力する、メイン表示装置を設定するための設定画面について説明する。
図５に示す設定画面には、メイン表示装置の設定を促す旨、現在設定されているメイン表示装置が表示され、またＤ１に示す領域には、これまでに受信装置１００に接続されたことのある表示装置の名称が表示される。なおＤ１の領域には、表示装置の製品名に対して当該表示装置の画面サイズ及び製造メーカ名等を対応付けて表示しても良い。
【００５０】
ここで当該設定画面のＤ１の領域に示された表示装置のうち何れかの表示装置を選択する操作入力の信号を操作入力処理部１０９が受け付けると、出力決定部１０７は該選択された表示装置をメイン表示装置として表示装置データベース１０８に登録する。
【００５１】
出力決定部１０７は当該登録された表示装置データベース１０８を参照して画面出力先を決定するので、メイン表示装置が登録された後、映像出力端子１１１及び１１２の両方の端子に表示装置が接続され、これら表示装置のうち一方が表示装置データベース１０８に登録されたメイン表示装置である場合には、当該メイン表示装置に動画像の画面が出力され当該メイン表示装置と異なる表示装置に操作用画像の画面が出力されることになる。
【００５２】
続いて図６を参照して、本実施例に係る受信装置１００の処理動作について説明する。図６は、受信装置１００が表示装置に映像信号を出力する際の動作例を示すフローチャートである。
【００５３】
まず表示装置検出部１０６は、映像出力端子１１１及び１１２に表示装置が接続されているか否かを検出するとともに、これら映像出力端子に表示装置が接続されている場合、該映像出力端子に接続された表示装置の画面サイズ、製造メーカ名及び製品名等の表示装置情報を取得する（Ｓ６０１）。
【００５４】
ここで、映像出力端子１１１と映像出力端子１１２とのうち一方の映像出力端子のみに表示装置が接続されている場合（Ｓ６０２のＮｏ）、出力決定部１０７は動画像と操作用画像との両方を含む画面を該表示装置に出力する旨を決定し、表示処理部１１０は該表示装置が接続されている映像出力端子に対して動画像と操作用画像とを含む画面、即ち図３（Ａ）に示すような画面の映像信号を出力する（Ｓ６０３）。このとき、操作入力処理部１０９が、受信装置１００に対する終了操作入力を受け付けると（Ｓ６０４のＹｅｓ）、受信装置１００は映像信号の出力を停止する（Ｓ６１７）。
【００５５】
一方、操作入力処理部１０９が終了操作入力を受け付けていない場合（Ｓ６０４のＮｏ）、続いて出力決定部１０７は、操作入力処理部１０９から動画像表示領域Ｂ２の領域を拡大した画面を表示する旨の拡大画面表示指示が入力されたか判別する（Ｓ６０５）。ここで当該拡大画面表示指示が入力されていない場合（Ｓ６０５のＮｏ）、受信装置１００は再びＳ６０４の処理を行う。
【００５６】
一方出力決定部１０７が拡大画面表示指示を受け付けた場合、当該出力決定部１０７は動画像を拡大表示した画面を出力する旨の指示を表示処理部１１０に出力し、表示処理部１１０は該指示に基づき、動画像を拡大表示した画面、即ち図３（Ｂ）に示すような画面の映像信号を、表示装置が接続されている映像出力端子に対して出力する（Ｓ６０６）。
【００５７】
次に出力決定部１０７は、操作入力処理部１０９が終了操作入力を受け付けると（Ｓ６０７のＹｅｓ）、Ｓ６１７の処理を行い、一方操作入力処理部１０９が終了操作入力を受け付けなかった場合（Ｓ６０７のＮｏ）、続いて操作入力処理部１０９が操作用画像と動画像とを配置した画面を表示する旨の操作入力を受け付けたか否かを判別する（Ｓ６０８）。ここで出力決定部１０７は、操作入力処理部１０９が当該操作入力を受け付けていない場合（Ｓ６０８のＮｏ）再びＳ６０７の処理を行い、操作入力処理部１０９が当該操作入力を受け付けた場合（Ｓ６０８のＹｅｓ）再びＳ６０３の処理を行う。
【００５８】
続いてＳ６０９以降の処理について説明する。Ｓ６０２において、表示装置検出部６０１が、映像出力端子１１１と１１２との両方の端子に表示装置が接続されていると判別した場合、続いて出力決定部１０７は、表示装置データベース１０８にメイン表示装置が登録されているか否かを判別する（Ｓ６０９）。
【００５９】
ここでメイン表示装置が登録されている場合（Ｓ６０９のＹｅｓ）、出力決定部１０７は、メイン表示装置に動画像の画面を、メイン表示装置とは異なる表示装置に操作用画像の画面を出力することを決定し（Ｓ６１０）、出力先指示及び画面サイズ通知をＧＵＩ生成部１０５及び表示処理部１１０に出力する。
【００６０】
一方メイン表示装置が登録されていない場合（Ｓ６０９のＮｏ）、続いて出力決定部１０７は、表示装置検出部１０６から入力された表示装置情報に含まれる画面サイズ情報から、映像出力端子１１１と１１２とに接続されている表示装置の画面サイズが異なっているか否かを判別する（Ｓ６１１）。そして表示装置の画面サイズが異なっている場合（Ｓ６１１のＹｅｓ）、出力決定部１０７は、画面の大きな表示装置が接続されている映像出力端子に動画像の画面を、画面の小さな表示装置が接続されている映像出力端子に操作用画像の画面を出力することを決定するとともに（Ｓ６１２）、当該決定に基づく出力先指示及び画面サイズ通知をＧＵＩ生成部１０５及び表示処理部１１０に出力する。
【００６１】
一方表示装置の画面サイズが同じである場合（Ｓ６１１のＮｏ）、出力決定部１０７は、映像出力端子１１１及び１１２に接続された表示装置のうち何れか一方に動画像の画面を、他方に操作用画像の画面を出力することを決定する。なお、Ｓ６１３の処理において出力決定部１０７は、例えば映像出力端子１１１に接続された表示装置に動画像の画面を、映像出力端子１１２に接続された表示装置に操作用画像の画面を出力するよう決定してもよい。
【００６２】
続いてＧＵＩ生成部１０５は、出力決定部１０７から入力された出力先指示及び画面サイズ通知に基づいて、操作用画像の画面を出力する表示装置の画面サイズに応じた画面を生成する。
【００６３】
そして受信装置１００は、操作入力処理部１０９が、受信装置１００に対する終了操作入力を受け付けると（Ｓ６１６のＹｅｓ）、映像信号の出力を停止し（Ｓ６１７）、処理を終了する。
【００６４】
次に図７及び図８を参照して、受信装置１００が出力する画面の、他の表示形態例を説明する。
図７は、受信装置１００が出力する画面の例を示す図である。図４の説明において、受信装置１００は、映像出力端子１１１と１１２との両方の端子に表示装置が接続されている場合、一方の表示装置に動画像の画面（例えば図４（Ａ））を、他方の表示装置に操作用画像の画面（例えば図４（Ｂ））を出力するとして説明した。これに対して図７に示す画面では、受信装置１００の映像出力端子１１１と１１２とに表示装置が接続されている場合に、一方の画面に動画像の画面が、他方の画面に表示装置に動画像と操作用画像とを含む画面が表示される。
【００６５】
図７（Ａ）は、受信装置１００が出力する動画像の画面を示している。ここで、画面Ｆ１は、動画像を全画面に表示する画面である。なお画面Ｆ１において、動画像を必ずしも全画面に表示する必要はなく、例えば画面Ｆ１の一部に表示しても良い。また、図７（Ｂ）は、受信装置１００が出力する動画像と操作用画像とを含む画面の例を示している。ここで画面Ｆ２には、動画像表示領域Ｆ３、データ放送画像表示領域Ｆ４、コンテンツ内容表示領域Ｆ５、操作用画像表示領域Ｆ６、操作用画像表示領域Ｆ７が表示されている。これらＦ３〜Ｆ７の領域は、図３（Ａ）に示したＢ２〜Ｂ６に対応する機能を有する領域であり、Ｆ３はＢ２に、Ｆ４はＢ３に、Ｆ５はＢ４に、Ｆ６はＢ５に、Ｆ７はＢ６に夫々対応している。
【００６６】
このように、受信装置１００は、２つの表示装置が接続されている場合に、一方の表示装置に対して図７（Ｂ）のような、動画像と操作用画像とを含む画面を出力することができる。ここで操作用画像の中には、例えばデータ放送画像表示領域Ｆ４に表示される画像のように、当該画像に対する選択操作入力があった場合に当該画像に対応するコンテンツの詳細情報や映像が動画像表示領域Ｆ３に表示されるものがある。
【００６７】
そのため受信装置１００のように、動画像表示領域Ｆ３とデータ放送画像表示領域Ｆ４とを同一画面に配置した画面を出力することにより、データ放送画像表示領域Ｆ４に表示される画像に対する選択操作をユーザが行う場合に、ユーザは選択した画像に対応するコンテンツの詳細情報や映像等を容易に確認することができる。
【００６８】
更に図８を参照して他の形態にかかる出力画面について説明する。図８は、受信装置１００が出力する他の画面の例を示す図である。
第３実施形態における受信装置１００は、当該受信装置１００の映像出力端子１１１と１１２とに表示装置が接続されている場合に、一方の表示装置に動画像とデータ放送用データに基づく画像とを含む画面を、他方の表示装置に操作用画像の画面を出力するものである。
【００６９】
次に図８について説明する。図８（Ａ）は、受信装置１００が出力する、動画像とデータ放送用データに基づく画像とを含む画面を示している。ここで、画面Ｅ１には、動画像表示領域Ｅ２とデータ放送画像表示領域Ｅ３が表示される。ここで、Ｅ２は図３（Ａ）におけるＢ２に、Ｅ３は図３（Ａ）におけるＢ３に対応する機能を有する。
【００７０】
また、図８（Ｂ）は、受信装置１００が出力する操作用画像の画面の例を示している。ここで画面Ｅ４には、操作用画像表示領域Ｅ５、コンテンツ内容表示領域Ｅ６、操作用画像表示領域Ｅ７が表示されている。そしてこれらＥ５〜Ｅ７の領域は、図３（Ａ）に示したＢ４〜Ｂ６に対応する機能を有する領域であり、Ｅ５はＢ４に、Ｅ６はＢ５に、Ｅ７はＢ６に夫々対応している。
【００７１】
このように受信装置１００は、２つの表示装置が接続されている場合に、一方の表示装置に対して図８（Ａ）のような、動画像と操作用画像とを含む画面を出力することができる。これにより受信装置１００は、動画像を広い領域に表示するとともに、当該動画像に関連するコンテンツやインターネットサイト等の情報を当該動画像と同じ画面に表示することができるため、ユーザは動画像及び当該動画像に関連するコンテンツ等を容易に確認することができる。
【００７２】
上記の実施形態に拠れば、受信装置１００は、当該受信装置１００に接続されている映像出力可能な表示装置の数に応じて異なる表示形態の画面を出力でき、ユーザに好適な視聴画面を提供することができる。また受信装置１００は、当該受信装置１００に接続されている表示装置が２である場合に、表示装置データベース１０８に登録されているメイン表示装置に動画像の画面を出力することが可能である。そのため、受信装置１００は、ユーザからのメイン表示装置登録設定操作を受け付けることにより、ユーザの所望する表示装置に動画像の画面を出力することができる。
【００７３】
そして受信装置１００は、当該受信装置１００に接続されている表示装置の画面サイズが異なっている場合に、画面サイズの大きな表示装置に対して動画像の画面を出力することができる。これにより受信装置１００は、動画像をより大きな画面に表示することができる。
【００７４】
（第２実施形態）
次に図９を参照して、本発明の第４実施形態に係る電子機器の利用形態について説明する。第１実施形態に係る電子機器は、例えば表示装置を接続して利用する受信装置１００として実現されていたが、第４実施形態に係る電子機器は、例えば表示部４１０を備え、また外部の表示装置と接続可能なコンピュータ４００として実現される。
【００７５】
そしてコンピュータ４００は、デジタル放送コンテンツやＩＰＴＶコンテンツ等の、映像データとデータ放送用データとが含まれる映像コンテンツデータを受信し、当該映像コンテンツデータに基づく画面を表示部４１０や表示装置５００に出力することができる。
【００７６】
そして第４実施形態のコンピュータ４００は、これらの画面を表示装置に出力する際に、当該コンピュータ４００に外部の表示装置が接続されているか否かにより、出力する画面の表示形態を切り替えることができる。なお、コンピュータ４００のシステム構成や処理手順、当該コンピュータ４００が出力する画面等については第１実施形態と同様のため説明を省略する。
【００７７】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【００７８】
１００…受信装置、１０１…受信部、１０２…通信部、１０３…分離部、１０４…デコード部、１０５…ＧＵＩ生成部、１０６…表示装置検出部、１０７…出力決定部、１０８…表示装置データベース、１０９…操作入力処理部、１１０…表示処理部、１１１…映像出力端子受信装置、１１２…映像出力端子受信装置、２００…表示装置、３００…表示装置、４００…コンピュータ、４１０…表示部、５００…表示装置
【図１】
2011166691.tif 000003
【図２】
2011166691.tif 000004
【図３】
2011166691.tif 000005
【図４】
2011166691.tif 000006
【図５】
2011166691.tif 000007
【図６】
2011166691.tif 000008
【図７】
2011166691.tif 000009
【図８】
2011166691.tif 000010
【図９】
2011166691.tif 000011
【手続補正書】
【提出日】平成23年4月1日(2011.4.1)
【手続補正１】
【補正対象書類名】特許請求の範囲
【補正対象項目名】全文
【補正方法】変更
【補正の内容】
【特許請求の範囲】
【請求項１】
動画データを含む映像データを入力する映像入力手段と，
コマンド入力のための操作イメージデータを生成するユーザ・インタフェースと，
第１の表示装置および第２の表示装置に映像データまたはイメージデータを出力する映像出力手段であって，
前記第１の表示装置及び前記第２の表示装置の双方が，前記映像出力手段から受信した映像またはイメージを表示する場合，前記動画データを前記第１の表示装置に出力し，前記操作イメージデータを前記第２の表示装置に出力し，
前記第１の表示装置及び前記第２の表示装置の一方が，前記映像出力手段から受信した映像またはイメージを表示する場合，前記動画データと前記操作イメージデータを含む結合された動画／イメージデータを前記第１の表示装置及び前記第２の表示装置の一方に出力する映像出力手段と，
を備える電子機器。
【請求項２】
前記映像データは，データ放送用データを含み，
前記映像出力手段は，前記第１の表示装置及び前記第２の表示装置の双方が，前記映像出力手段から受信した映像またはイメージを表示する場合，前記第１の表示装置に前記動画を出力し，前記第２の表示装置に前記データ放送用データに基づく前記操作イメージデータを出力する、請求項１記載の電子機器。
【請求項３】
前記操作イメージデータによって生成される第１の画面が，前記結合された動画／イメージデータによって生成される第２の画面と異なる、請求項１記載の電子機器。
【請求項４】
前記映像出力手段は，前記第１の表示装置及び前記第２の表示装置の双方が，前記映像出力手段から受信した映像またはイメージを表示する場合，前記第２の表示装置の画面サイズに応じた表示形態の前記第１の画面を出力する、請求項１記載の電子機器。
【請求項５】
前記映像出力手段は，前記第１の表示装置及び前記第２の表示装置の双方が，前記映像出力手段から受信した映像またはイメージを表示する場合，前記第２の表示装置の解像度に応じた解像度の前記第１の画面の操作イメージデータを出力する、請求項１記載の電子機器。
【請求項６】
前記映像出力手段は，前記第１の表示装置及び前記第２の表示装置の双方が，前記映像出力手段から受信した映像またはイメージを表示する場合，前記第１の表示装置の解像度に応じた解像度の前記動画データを出力する、請求項１記載の電子機器。
【請求項７】
前記第１の表示装置の画面サイズが，前記第２の表示装置の画面サイズより大きい、請求項１記載の電子機器。
【請求項８】
前記第１の画面が，前記動画データによって生成される前記動画を表示する画面を有する、請求項３記載の電子機器。
【請求項９】
前記映像データは，データ放送用データを含み，
前記映像出力手段は，第１の表示装置及び第２の表示装置の双方が，前記映像出力手段から受信した映像またはイメージを表示する場合，前記第１の表示装置に前記動画データからの動画と，前記データ放送用データに基づく前記操作イメージデータからの操作イメージを含む画面を表示するためのデータを出力する、請求項１記載の電子機器。
【請求項１０】
前記第１の表示装置または前記第２の表示装置上で，前記結合された動画／イメージデータからの第２の画面と前記動画データからの動画を切り替えて表示可能である、請求項１記載の電子機器。
【請求項１１】
前記第１の表示装置を登録する登録手段を更に備え，
前記映像出力手段は，前記登録手段に登録された前記第１の表示装置に前記動画データを出力する、請求項１記載の電子機器。
【手続補正書】
【提出日】平成23年6月27日(2011.6.27)
【手続補正１】
【補正対象書類名】特許請求の範囲
【補正対象項目名】全文
【補正方法】変更
【補正の内容】
【特許請求の範囲】
【請求項１】
動画データおよびデータ放送用データを含む映像データを入力する映像入力手段と，
コマンド入力のための操作イメージデータを生成するユーザ・インタフェースと，
第１の表示装置および第２の表示装置に映像データまたはイメージデータを出力する映像出力手段と，
前記第１の表示装置および前記第２の表示装置がそれぞれ，前記映像出力手段から受信した映像またはイメージを表示するか否かを検出する検出手段と，を備え，
前記検出手段が，前記第１の表示装置及び前記第２の表示装置の双方が，前記映像出力手段から受信した映像またはイメージを表示することを検出した場合，前記映像出力手段は，前記動画データを前記第１の表示装置に出力し，前記データ放送用データに基づく前記操作イメージデータを前記第２の表示装置に出力し，
前記検出手段が，前記第１の表示装置及び前記第２の表示装置の一方が，前記映像出力手段から受信した映像またはイメージを表示することを検出した場合，前記映像出力手段は，前記動画データと前記データ放送用データに基づく前記操作イメージデータを含む結合された動画／イメージデータを前記第１の表示装置及び前記第２の表示装置の一方に出力する，
電子機器。
【請求項２】
前記操作イメージデータによって生成される第１の画面が，前記結合された動画／イメージデータによって生成される第２の画面と異なる，請求項１記載の電子機器。
【請求項３】
前記検出手段が，前記第１の表示装置及び前記第２の表示装置の双方が，前記映像出力手段から受信した映像またはイメージを表示することを検出した場合，前記映像出力手段は，前記第２の表示装置の画面サイズに応じた表示形態の前記第１の画面を出力する，請求項１記載の電子機器。
【請求項４】
前記検出手段が，前記第１の表示装置及び前記第２の表示装置の双方が，前記映像出力手段から受信した映像またはイメージを表示することを検出した場合，前記映像出力手段は，前記第２の表示装置の解像度に応じた解像度の前記第１の画面の操作イメージデータを出力する，請求項１記載の電子機器。
【請求項５】
前記検出手段が，前記第１の表示装置及び前記第２の表示装置の双方が，前記映像出力手段から受信した映像またはイメージを表示することを検出した場合，前記映像出力手段は，前記第１の表示装置の解像度に応じた解像度の前記動画データを出力する，請求項１記載の電子機器。
【請求項６】
前記第１の表示装置の画面サイズが，前記第２の表示装置の画面サイズより大きい，請求項１記載の電子機器。
【請求項７】
前記第１の画面が，前記動画データによって生成される前記動画を表示する画面を有する，請求項２記載の電子機器。
【請求項８】
前記検出手段が，前記第１の表示装置及び前記第２の表示装置の双方が，前記映像出力手段から受信した映像またはイメージを表示することを検出した場合，前記映像出力手段は，前記第１の表示装置に前記動画データからの動画と，前記データ放送用データに基づく前記操作イメージデータからの操作イメージを含む画面を表示するためのデータを出力する，請求項１記載の電子機器。
【請求項９】
前記第１の表示装置または前記第２の表示装置上で，前記結合された動画／イメージデータからの第２の画面と前記動画データからの動画を切り替えて表示可能である，請求項１記載の電子機器。
【請求項１０】
前記第１の表示装置を登録する登録手段を更に備え，
前記映像出力手段は，前記登録手段に登録された前記第１の表示装置に前記動画データを出力する，請求項１記載の電子機器。